(57)【特許請求の範囲】
【請求項１】
画像形成手段を有し、他の機能を有するオプション機器を接続して画像形成を行う画像形成装置において、
前記オプション機器に電源を供給する第１及び第２の電源ラインと、
前記第２の電源ラインにより供給された電源を前記オプション機器から画像形成装置本体側に戻すためのラインと、
当該ラインに接続された第１の終端抵抗と、
当該第１の終端抵抗に接続された第２の終端抵抗と、
前記オプション機器から前記画像形成装置本体側に信号を出力するための信号線と、
この出力された信号に基づいて前記オプション機器の前記第１の電源ラインをオンする制御手段と、
を備え、
前記第１の終端抵抗と前記第２の終端抵抗との接続点が前記オプション機器から出力される前記信号線に接続されていることを特徴とする画像形成装置。
【請求項２】
前記第１の電源ラインは省エネルギモード時にオフする電源ラインであり、前記第２の電源ラインは省エネルギモード時にもオフしない電源ラインであることを特徴とする請求項１記載の画像形成装置。
【発明の詳細な説明】
【０００１】
【発明の属する技術分野】
この発明は、デジタル複写機にＦＡＸコントローラ、プリンタコントローラなどのオプション機器が複合されたデジタル複合機とも称される画像形成装置に係り、特に、前記ＦＡＸコントローラやプリンタコントローラなどから出力される信号の終端処理に特徴のある画像形成装置に関する。
【０００２】
【従来の技術】
画像読み取り装置を備え、読み取った原稿を複写する複写機能にＦＡＸ機能やプリンタ機能を複合したいわゆるデジタル複合機が昨今普及してきている。このようなデジタル複合機では、複数の機能を１台の機械に搭載することから信号線の数が増加することは否めなく、この種の機械の終端処理では、信号線の本数増加とともに消費電力が増加する結果となっていた。
【０００３】
この終端処理部にかかる消費電力を減らすために、終端処理部と電源ラインとを切り離す方法があり、例えば、特開平１０−２６８９９２号公報には、終端処理部と電源ラインを切り離すために電圧を比較する手段や、排他的論理和、トランジスタなどが回路要素が必要であった。
【０００４】
【発明が解決しようとする課題】
このように従来では、消費電力が増加するので、消費電力を減らすために終端処理部と電源ラインとを切り離すと、前記回路要素が必要となり機器のコストの増加を招いていた。
【０００５】
この発明は、斯かる点に鑑みてなされたもので、その目的は、コストの増加を招くことなく消費電力を低減することができる画像形成装置を提供することにある。
【０００６】
【課題を解決するための手段】
前記目的を達成するため、第１の手段は、画像形成手段を有し、他の機能を有するオプション機器を接続して画像形成を行う画像形成装置において、前記オプション機器に電源を供給する第１及び第２の電源ラインと、前記第２の電源ラインにより供給された電源を前記オプション機器から画像形成装置本体側に戻すためのラインと、当該ラインに接続された第１の終端抵抗と、当該第１の終端抵抗に接続された第２の終端抵抗と、前記オプション機器から前記画像形成装置本体側に信号を出力するための信号線と、この出力された信号に基づいて前記オプション機器の前記第１の電源ラインをオンする制御手段とを備え、前記第１の終端抵抗と前記第２の終端抵抗との接続点が前記オプション機器から出力される前記信号線に接続されていることを特徴とする。
【０００７】
第２の手段は、第１の手段において、前記第１の電源ラインは省エネルギモード時にオフする電源ラインであり、前記第２の電源ラインは省エネルギモード時にもオフしない電源ラインであることを特徴とする。
【００１０】
【発明の実施の形態】
以下、図面を参照し、本発明の実施の形態について説明する。
【００１１】
図１は本発明の実施形態に係る画像形成装置のシステム構成を示すブロック図である。このシステムは、デジタル複写機１と、このデジタル複写機１にオプションとして接続されたＦＡＸコントローラ１０００とからなる。デジタル複写機１は、さらに、操作部１００、ＡＤＦ２００、スキャナ／ＩＰＵ３００、プリンタ部４００、メイン制御部６００、バンク部７００、ＰＳＵ８００及びバススイッチ部９００から基本的に構成されている。
【００１２】
操作部１００は、画像形成開始を指示するプリントスタートキー、複写枚数等を設定するときに使用するテンキー、接続されるオプション機器が備える機能、ここでは、ＦＡＸ送信等を設定する装置機能設定キー、設定された機能やデータ等を表示する液晶タッチパネル等を備えている。
【００１３】
ＡＤＦ２００は、セットされた原稿のサイズを検知するためのセンサ類を備え、検知した原稿サイズデータをメイン制御部６００に送信し、メイン制御部６００からのコマンドに従い、セットされた原稿を所定のタイミングデジタルでデジタル複写機の上面に設けられたコンタクトガラス上に原稿を給送し、スキャン終了後コンタクトガラス上から原稿を排紙する。
【００１４】
スキャナ／ＩＰＵ（Image Processing Unit）３００は、コンタクトガラス上にセットされた原稿に照明ランプからの照明光を照射し、原稿からの反射光をミラー群、フィルタ、レンズなどの読み取り光学系を介してＣＣＤに結像し、ＣＣＤで光電変換された信号を増幅し、Ａ／Ｄ変換してデジタル画像データを得る。このデジタル画像データは、所定のシェーディング補正、ガンマ補正等の処理が施され、トナーによる顕像化に適した画像処理が行われる。また、操作部１００から変倍処理、加工処理などの指定があれば、これらの処理も実行し、所定のタイミングで画像処理を行ったデジタル画像データをバススイッチ部９００に送る。
【００１５】
プリンタ部４００は、バススイッチ部９００から送られてくるデジタル画像データをプリンタ固有の特性に合わせるためのガンマ変換などを行い、これに基づく静電潜像をレーザダイオード（ＬＤ）を駆動して帯電された感光体上に形成する。感光体上に形成された静電潜像は、現像器でトナーにより顕像化され、バンク部７００から給送されてくる用紙に転写し、定着器で溶融定着され、顕像が形成された用紙は機外に排出される。
【００１６】
メイン制御部６００は、操作部１００などから設定された機能に従って、ＡＤＦ２００、スキャナ／ＩＰＵ３００、プリンタ部４００、バススイッチ部９００、ＦＡＸコントローラ１０００の設定を行う。また、操作部１００から送られてくるスタート信号、プリンタ部４００から送られてくるポリゴンモータ同期信号などにより、ＡＤＦ２００に原稿の給紙タイミングを送信したり、スキャナ／ＩＰＵ３００にスキャナスタート信号を送信したり、用紙にトナー増を定着し、排紙するなどの作像プロセス制御を含むデジタル複写機全体の制御を司る。
【００１７】
バンク部７００は、メイン制御部６００からの制御信号により、用紙をプリンタ部４００に給送する。
【００１８】
ＰＳＵ（Power Supply Unit）８００は、メイン制御部６００からの制御信号により、オフする電源ライン５Ｖとオフしない電源ライン５ＶＥをオプション機器、ここではＦＡＸコントローラ１０００に接続し、当該オプション機器に電源を供給する。また、オフしない電源ライン５ＶＥ、２５Ｖをデジタル複写機１全体に供給する。
【００１９】
バススイッチ部９００は、メイン制御部６００からの制御信号により、画像データのパス切り換えを行う。例えばコピー時は、スキャナ／ＩＰＵ３００からプリンタ部４００に画像データのパスを設定し、ＦＡＸ送信時は、スキャナ／ＩＰＵ３００からＦＡＸコントローラ１０００に画像データパスを設定し、ＦＡＸ受信時発明、ＦＡＸコントローラ１０００からプリンタ部４００に画像データパスを設定する。
【００２０】
ＦＡＸコントローラ１０００は、メイン制御部６００とのシリアル通信ＴＸＤ、ＲＸＤに従い、バススイッチ部９００から送られてくるデジタル画像データＡＷＫＤ［７：０］をＦＡＸ仕様に変換して電話回線に接続されている他のＦＡＸに送信したり、他のＦＡＸから送信されてきた画像データをデジタル複写機１とのインターフェイス仕様ＡＲＫＤ［７：０］に変換して、デジタル画像データをバススイッチ部に送る。
【００２１】
図２はバススイッチ部９００とＦＡＸコントローラ１０００の接続状態を示すブロック図である。図において中央部に示す１点鎖線から左側がバススイッチ部９００で、右側がＦＡＸコントローラ部１０００である。
【００２２】
バススイッチ部９００には、ドライバ９０１、レシーバ９０４及びレシーバ９０９が設けられ、ＦＡＸコントローラ１０００には、レシーバ１００５、ドライバ１００６及びドライバ１００７が設けられている。
【００２３】
ドライバ９０１はメイン制御部６００からのシリアル通信送信信号ＴＸＤを、スキャナ／ＩＰＵ３００からの画像データＡＷＫＤ［７：０］をそれぞれＦＡＸコントローラ１０００側に送信し、ＦＡＸコントローラ１０００側ではレシーバ１００５で受信する。このドライバ９０１は、メイン制御部６００からの制御信号により出力をハイ・インピーダンスにすることができる。ここで、画像データＡＷＫＤ［７：０］は８本のバスで構成されるが、図２では１本の線で表している。このドライバ９０１はオフしない電源ライン５ＶＥに接続され、この電源ライン５ＶＥによって駆動される。
【００２４】
レシーバ９０４はＦＡＸコントローラ１０００からオフする電源ライン５ＶをオンさせるためにＦＡＸコントローラ１０００のドライバ１００６からメイン制御部６００に送信する信号ＷＫＵＰを受信する。この信号ＷＫＵＰは、オフしない電源５ＶＥに接続される終端抵抗９０２，９０３を介して前記レシーバ９０４で受ける。ドライバ１００６はＰＳＵ８００からのオフしない電源５ＶＥに接続されており、ＦＡＸコントローラ１０００のバススイッチ部９００への接続時にバススイッチ部９００の終端抵抗９０２，９０３にもドライバ１００６に供給するオフしない電源５ＶＥが接続され、ＦＡＸコントローラ１０００側からオフしない電源５ＶＥの供給を受ける。
【００２５】
レシーバ９０９はオフしない電源５ＶＥの供給を受け、ＦＡＸコントローラ１０００のドライバ１００７から画像データＡＲＫＤ［７：０］を受信する。この画像データＡＲＫＤ［７：０］は、ＦＡＸコントローラ１０００を接続したときにオフする電源ライン５Ｖに接続される終端抵抗９０５，９０６，９０７，９０８を介してドライバ１００７から送信される。ここで、画像データＡＲＫＤ［７：０］は、８本のバスで構成されるが、前述の場合と同様に１本の線で表している。
【００２６】
ＦＡＸコントローラ１０００側では、メイン制御部６００からのシリアル通信送信信号ＴＸＤ、スキャナ／ＩＰＵ３００からの画像データＡＷＫＤ［７：０］は、オフする電源ライン５Ｖに接続される終端抵抗１００１，１００２，１００３，１００４を介してレシーバ１００５で受ける。ＦＡＸコントローラ１０００からメイン制御部６００に送信する信号ＷＫＵＰは、オフしない電源５ＶＥに接続されるドライバ１００６によって送信される。メイン制御部６００のシリアル通信受信信号ＲＤＸ、プリンタ部４００に送信する画像データＡＲＫＤ［７：０］は、オフする電源ライン５Ｖに接続されるドライバ１００７によって送信される。
【００２７】
ＰＳＵ８００は、オフしない電源ライン５ＶＥとオフする電源ライン５Ｖを介してバススイッチ部９００とＦＡＸコントローラ側に電源ラインを供給する。バススイッチ部９００のドライバ９０１、レシーバ９０４、レシーバ９０９とＦＡＸコントローラ１０００のドライバ１００６はオフしない電源ライン５ＶＥに接続され、さらに、ＦＡＸコントローラ１０００をバススイッチ部９００に接続することによってレシーバ９０４側の終端抵抗９０２，９０３もオフしない電源ライン５ＶＥに接続される。ＦＡＸコントローラのレシーバ１００５、ドライバ１００７及びレシーバ１００５側の終端抵抗１００１，１００２，１００３．１００４はオフする電源ライン５Ｖに接続され、さらに、ＦＡＸコントローラ１０００をバススイッチ部に接続することによってバススイッチ部９００のレシーバ９０９側の終端抵抗９０５，９０６，９０７，９０８もオフする電源ライン５Ｖに接続される。
【００２８】
このように構成すると、ＦＡＸコントローラ１０００の未接続時、バススイッチ部９００の終端抵抗９０２，９０３，９０５，９０６，９０７，９０８には、電源ライン５Ｖ，５ＶＥが供給されないので、これらの終端抵抗で電力を浪費することはない。また、ＦＡＸコントローラ１０００接続時で、かつ、ＦＡＸコントローラ１０００の未使用時、メイン制御部６００は、バススイッチ部９００のドライバ９０１の出力をハイインピーダンスにし、ＰＳＵ８００のオフする電源ライン５Ｖをオフするので、ＦＡＸコントローラ１０００における消費電力を抑えることができる。同時に、バススイッチ部９００の終端抵抗９０５，９０６，９０７，９０８には、オフする電源ライン５Ｖが供給されず、これらの終端抵抗で電力を浪費することはない。
【００２９】
このとき、ＦＡＸコントローラ１０００は、電話回線からの受信信号をオフしない電源ライン５ＶＥで駆動される一部のＩＣによって監視のみを行う。ＦＡＸコントローラ１０００は、電話回線からの受信信号を検知したら、メイン制御部６００に、電源ライン５Ｖをオンさせる信号ＷＫＵＰをアクティブにし、メイン制御部６００はＰＳＵ８００の電源ライン５Ｖをオンさせ、通常のＦＡＸ画像形成動作に移行する。また、オフする電源ライン５Ｖのオフ時にＦＡＸ送信を行うように操作部１００から操作を行うと、操作部１００からメイン制御部６００にＦＡＸコントローラ１０００の使用要求が入り、メイン制御部６００は、ＰＳＵ８００のオフしている電源ライン５Ｖをオンし、ＦＡＸコントローラ１０００にＦＡＸ送信設定を送信し、通常の原稿読み取り動作に移行する。なお、終端抵抗９０２と９０３との接続点、終端抵抗９０５と９０６と接続点、及び終端抵抗９０７と９０８との接続点には、それぞれＦＡＸコントローラ１０００側からＷＫＵＰ信号、ＲＸＤ信号、ＡＲＫＤ信号の信号線が接続され、終端抵抗１００１と１００２との接続点、及び終端抵抗１００３と１００４との接続点にはバススイッチ部８００側からのＴＸＤ信号、ＡＷＫＤ信号の信号線が接続されているので、これらの信号の反射が低減され、信号伝達の高速化を図ることができる。
【００３０】
このように構成することによって、オプション機器の未接続時、及び未使用時などの省エネルギモードのときにも、オプション機器から出力される信号の終端処理部デジタルの消費電力を低減することができる。
【００３１】
【発明の効果】
以上のように、本発明によれば、コストの増加を招くことなく消費電力を低減することができる。
【図面の簡単な説明】
【図１】本発明の実施形態に係るデジタル複合機の概略構成を示すブロック図である。
【図２】図１のデジタル複合機のバススイッチ部とＦＡＸコントローラとの接続部の状態を示す回路図である。
【符号の説明】
１  デジタル複合機
５Ｖ  オフする電源ライン
５ＶＥ  オフしない電源ライン
１００  操作部
２００  ＡＤＦ
３００  スキャン／ＩＰＵ
４００  プリンタ部
６００  メイン制御部
７００  バンク部
８００  ＰＳＵ
９００  バススイッチ部
９０１  ドライバ
９０２，９０３，９０５，９０６，９０７，９０８  終端抵抗
９０４，９０９  レシーバ
１０００  ＦＡＸコントローラ
１００１，１００２，１００３，１００４  終端抵抗
１００５  レシーバ
１００６，１００７  ドライバ
【図１】
0003746387.tif 000002
【図２】
0003746387.tif 000003